(57)【要約】【課題】地下埋設物を撤去する場合に、上方の道路が遮断されることによる交通障害が生じることがなく、大量の土砂の搬出搬入および仮置きをする必要もなく施工性の向上を図ることができ、また、堤防工事の場合に大規模な仮締め切り護岸を築造する必要もなく、工事範囲を小さくできる。【解決手段】地下埋設物２を包括する断面を有する筒体８で地下埋設物２を取り囲み、筒体８を発進立坑９から地中を前進させながら筒体８内で地下埋設物２の取壊しおよび土砂の掘削撤去を行い、到達立坑１０に筒体８が到達後、筒体８を発進立坑９側に戻しながら筒体８移動後の空隙を埋め戻す。【選択図】図１
2010112037.tif 000002
【特許請求の範囲】
【請求項１】
地下埋設物を包括する断面を有する筒体で地下埋設物を取り囲み、筒体を発進立坑から地中を前進させながら筒体内で地下埋設物の取壊しおよび土砂の掘削撤去を行い、地下構造物の取壊し完了後、筒体を発進立坑側に戻しながら筒体移動後の空隙を埋め戻すことを特徴とする地下埋設物の撤去復旧方法。
【請求項２】
地下埋設物を包括する断面を有する筒体で地下埋設物を取り囲み、到達立坑に設置した牽引設備で筒体を発進立坑から牽引して地中を前進させながら筒体内で地下埋設物の取壊しおよび土砂の掘削撤去を行い、地下構造物の取壊しが完了して筒体が到達立坑に到達後、筒体を発進立坑側に牽引して戻しながら筒体移動後の空隙を埋め戻すことを特徴とする地下埋設物の撤去復旧方法。
【請求項３】
地下埋設物を包括する断面を有する筒体で地下埋設物を取り囲み、筒体を発進立坑に設置した推進設備で押して地中を前進させながら筒体内で地下埋設物の取壊しおよび土砂の掘削撤去を行い、地下構造物の取壊しが完了して筒体が到達立坑に到達後、筒体を発進立坑側に戻しながら筒体移動後の空隙を埋め戻すことを特徴とする地下埋設物の撤去復旧方法。
【請求項４】
地下埋設物を包括する断面を有する筒体で地下埋設物を取り囲み、牽引設備で筒体を発進立坑から牽引して地中を前進させながら筒体内で地下埋設物の取壊しおよび土砂の掘削撤去を行い、地下構造物の取壊し完了後、筒体を発進立坑側に戻しながら筒体移動後の空隙を埋め戻すことを特徴とする地下埋設物の撤去復旧方法。
【請求項５】
地下埋設物を包括する断面を有する筒体で地下埋設物を取り囲み、筒体を発進立坑に設置した推進設備で押して地中を前進させながら筒体内で地下埋設物の取壊しおよび土砂の掘削撤去を行い、地下構造物の取壊し完了後、筒体を発進立坑側に戻しながら筒体移動後の空隙を埋め戻すことを特徴とする地下埋設物の撤去復旧方法。
【請求項６】
前記筒体は先端に刃口を有し、筒体の引戻し時には刃口断面を閉塞することを特徴とする請求項１から請求項５のいずれかに記載の地下埋設物の撤去復旧方法。
【発明の詳細な説明】
【技術分野】
【０００１】
本発明は、河川堤防を横断する樋管などの地下埋設物の撤去復旧方法に関するものである。
【背景技術】
【０００２】
河川堤防を横断する埋設物である樋管などを撤去して埋設箇所を復旧する方法として、例えば、開削工法として図１２〜図１４に示すオープンカット方式や、図１５〜図１７に示す山留め方式がある。
【０００３】
オープンカット方式は掘削部である河川堤防１周辺に斜面を残して掘削部が露出した状態で地表面から地盤を根切りして地下埋設物２を露出させ、これを撤去するものであり、また、山留め方式は、掘削部に山留め支保工として切り梁３を設け周囲の地山を土留壁４を施工した状態で地下埋設物２を露出させ、これを撤去するものである。
【０００４】
そして、地下埋設物２を撤去した後は、土砂を再び埋め戻して現場を復旧する。
【０００５】
前記先行技術は当業者間で一般的に行われているものであり、文献公知発明にかかるものではない。
【発明の開示】
【発明が解決しようとする課題】
【０００６】
前記工法は開削工法であるため、掘削幅が大きく、特にオープンカット方式の場合は図１２、図１４にも示すように地下埋設物２の幅よりもはるかに大きな掘削幅となり、施工中は道路が遮断され交通に支障が生じる。また、図１２、図１５にも示すように土被りが大きいと、工事の影響範囲も大きくなるおそれがある。
【０００７】
さらに、地下埋設物の上方の土砂を全て取り除き、埋設物の撤去後は掘削した空間と撤去により生じた空隙とに土砂を埋め戻すことになるため、大量の土砂を搬出運搬し、仮置きし、再度、土砂搬入運搬する作業が必要となり、土砂搬出搬入に大きな手間を要し、また、大量の土砂の仮置きスペースも確保する必要がある。
【０００８】
また、工事場所が河川堤防１などの場合は、図１３、図１４に示すように、オープンカット方式では破堤するために河川５の側に地下埋設物２の河川５側を取り囲むようにして大規模な仮締め切り護岸６を別途築造する必要がある。
【０００９】
そして、地下埋設物２を撤去した後の、土砂埋め戻しの作業は、限られたスペースでのものとなり、十分な転圧締め固めを行うことが困難である。
【００１０】
本発明は前記従来例の不都合を解消するものとして、地下埋設物を撤去する場合に、上方の道路が遮断されることによる交通障害が生じることがなく、大量の土砂の搬出搬入および仮置きをする必要もなく施工性の向上を図ることができ、また、堤防工事の場合に大規模な仮締め切り護岸を築造する必要もなく、工事範囲を小さくできる地下埋設物の撤去復旧方法を提供することにある。
【課題を解決するための手段】
【００１１】
本発明は前記従来例の不都合を解消するものとして、請求項１記載の発明は、地下埋設物を包括する断面を有する筒体で地下埋設物を取り囲み、筒体を発進立坑から地中を前進させながら筒体内で地下埋設物の取壊しおよび土砂の掘削撤去を行い、地下構造物の取壊し完了後、筒体を発進立坑側に戻しながら筒体移動後の空隙を埋め戻すことを要旨とするものである。
【００１２】
請求項１記載の本発明によれば、非開削工法で施工するから、道路を遮断することなく交通障害が少ない。また、筒体内に地下埋設物を取り込んで、この筒体内で埋設物の取壊し撤去を行い、筒体内だけの土砂の掘削撤去を行えばよい。よって、土被りが大きくても工事の影響範囲が大きくなることがない。さらに、堤防工事の場合に小規模な仮締め切りで足りるから施工性の向上を図れて、渇水期内で工事を完結できる。
【００１３】
そして、埋め戻しも、筒体を引戻しながら空隙に埋め戻し材を充填すればよいから、転圧締め固めも不要であり施工性がよいものにできる。
【００１４】
請求項２記載の発明は、地下埋設物を包括する断面を有する筒体で地下埋設物を取り囲み、到達立坑に設置した牽引設備で筒体を発進立坑から地中を牽引して前進させながら筒体内で地下埋設物の取壊しおよび土砂の掘削撤去を行い、地下構造物の取壊しが完了して筒体が到達立坑に到達後、筒体を発進立坑側に牽引して戻しながら筒体移動後の空隙を埋め戻すことを特徴とする地下埋設物の撤去復旧方法。
【００１５】
請求項２記載の本発明によれば、前記作用に加えて到達立坑を築造し、ここに設置した牽引設備で筒体を牽引することで、筒体を到達立坑まで確実に前進させて地下埋設物の撤去を確実なものにでき、地下埋設物の長さが大きいものであっても確実に撤去できる。
【００１６】
請求項３記載の発明は、地下埋設物を包括する断面を有する筒体で地下埋設物を取り囲み、筒体を発進立坑に設置した推進設備で押して地中を前進させながら筒体内で地下埋設物の取壊しおよび土砂の掘削撤去を行い、地下構造物の取壊しが完了して筒体が到達立坑に到達後、筒体を発進立坑側に戻しながら筒体移動後の空隙を埋め戻すことを要旨とするものである。
【００１７】
請求項３記載の本発明によれば、到達立坑を築造することで、ここに筒体が到達したことを確認することにより地下埋設物の撤去を確実なものにできる。
【００１８】
請求項４記載の発明は、地下埋設物を包括する断面を有する筒体で地下埋設物を取り囲み、牽引設備で筒体を発進立坑から牽引して地中を前進させながら筒体内で地下埋設物の取壊しおよび土砂の掘削撤去を行い、地下構造物の取壊し完了後、筒体を発進立坑側に戻しながら筒体移動後の空隙を埋め戻すことを要旨とするものである。
【００１９】
請求項４記載の本発明によれば、埋設状態にある地下埋設物の取壊しが完了した時点で牽引設備を発進立坑側に移動して配備することで、筒体が到達側の立坑まで貫通して前進しなくとも筒体の引戻しが行えるから、到達側の立坑の開口を塞ぐ必要がなく施工性の向上を図れる。また、必要以上に筒体を前進させることにもならない。
【００２０】
請求項５記載の発明は、地下埋設物を包括する断面を有する筒体で地下埋設物を取り囲み、筒体を発進立坑に設置した推進設備で押して地中を前進させながら筒体内で地下埋設物の取壊しおよび土砂の掘削撤去を行い、地下構造物の取壊し完了後、筒体を発進立坑側に戻しながら筒体移動後の空隙を埋め戻すことを要旨とするものである。
【００２１】
請求項５記載の本発明によれば、筒体を発進立坑に設置した推進設備で推進し、かつ、埋設状態にある地下埋設物の取壊しが完了した時点で筒体を発進立坑側に引戻すから、到達立坑を築造する必要がなく、施工性の向上を図れる。
【００２２】
請求項６記載の発明は、前記筒体は先端に刃口を有し、筒体の引戻し時には刃口断面を閉塞することを要旨とするものである。
【００２３】
請求項６記載の本発明によれば、筒体の引戻し時には、刃口断面を閉塞するから、埋設物撤去後の空隙に埋め戻し材を容易かつ確実に充填できる。
【発明の効果】
【００２４】
以上述べたように本発明の地下埋設物の撤去復旧方法は、地下埋設物を撤去する場合に、地下埋設物の周囲を囲むようにして筒体を地中で前進させ、筒体内で地下埋設物を取り壊すようにした非開削工法によるから、開削することにより上方の道路が遮断されることによる交通障害が生じることがなく、土被りが大きくても筒体内の限られた範囲の土砂を搬出するだけでよいから、埋設物の撤去に際に発生する大量の土砂の搬出搬入および仮置きをする必要もなく、さらに埋設物撤去後の空隙の充填も容易で施工性の向上を図ることができ、また、堤防工事の場合に大規模な仮締め切り護岸を築造する必要もなく、工事範囲を小さくでき、渇水期内で作業を完結できるものである。
【発明を実施するための最良の形態】
【００２５】
以下、図面について本発明の実施形態を詳細に説明する。図１は本発明の地下埋設物の撤去復旧方法の第１実施形態を示す縦断側面図で、本発明の方法は例えば河川堤防１などに埋設されている樋管などの地下埋設物２を撤去し、撤去後の空隙を復旧するもので、図中、図１２〜図１７に示した従来例と同一の構成要素には同一の参照符号を付してある。
【００２６】
河川堤防１に埋設されている地下埋設物２である例えば樋管を撤去するには、図１に示すように、牽引準備工として、地下埋設物２の埋設箇所の両端位置に発進立坑９と到達立坑１０とをそれぞれ築造する。
【００２７】
次いで、発進立坑９に、先端に刃口１２を備える筒体８を設置する。この筒体８は図４に示すように地下埋設物２を包括できる断面を有するものとし、本実施形態では円筒形のものとする。
【００２８】
到達立坑１０には牽引設備として支圧壁１３を築造し、牽引ジャッキ１４を配設し、該牽引ジャッキ１４に一端を固定したＰＣ鋼線１５などによる牽引部材の他端を定着具を介して筒体８に接続する。ＰＣ鋼線１５などによる牽引部材は、地下埋設物２の内空に配置するか、地下埋設物２の外側の土砂を水平に削孔して配置する。
【００２９】
次に、地下埋設物２の撤去工として、牽引ジャッキ１４で筒体８を牽引し、筒体８を発進立坑９側から到達立坑１０側へと前進させ、図２に示すように筒体８内に地下埋設物２を取り込んで、この筒体８で地下埋設物２を取り囲むようにし、刃口１２内で地下埋設物２の端部の取壊しと撤去および刃口１２と筒体８内の土砂の掘削と撤去を行う。
【００３０】
この場合、図１８、図１９に示すように土砂掘削は刃口１２および筒体８内のものに限定されるから、士被りが大きくても、大量の土砂を掘削排出する必要がない。また、非開削で行えるから上方の道路を遮断する必要もなく、図２０に示すように開削部は発進立坑９と到達立坑１０の部分だけであるから交通障害も少なくてすむ。さらに、仮締め切り護岸を築造する必要もない。
【００３１】
筒体８内の地下埋設物２の取壊しと撤去、土砂の掘削排出が終了したならば、牽引ジャッキ１４で刃口１２と筒体８を到達立坑１０側にさらに牽引し、筒体８を継ぎ足しながら前進させて地下埋設物２の端を刃口１２および筒体８内に引き込む。そして、前回と同様にして筒体８内で地下埋設物２を取壊し、筒体８内の土砂を掘削し排出する。これを繰り返して刃口１２および筒体８を到達立坑１０側に前進させながら、地下埋設物２を取り壊していく。
【００３２】
以上のようにして地下埋設物２の取り壊しが終了し、刃口１２が到達立坑１０に到達したならば、埋め戻し工として図３に示すように、牽引ジャッキ１４を発進立坑９側に移動し、到達立坑１０側の開口を閉塞部材１６で閉塞し、さらに、刃口１２断面も閉塞部材１７で閉塞する。
【００３３】
そして、閉塞部材１７で閉塞した刃口１２断面に埋め戻し材の充填ホース１９の先端を開口する。
【００３４】
この状態で牽引ジャッキ１４を作動して刃口１２と筒体８とを発進立坑９側に向けて牽引し、牽引により筒体８が移動して後方に生じた空隙に充填ホース１９で移送される埋め戻し材１８を充填する（図５参照）。この埋め戻し材１８には例えば流動化処理土、アスファルトマスチック、気泡モルタル、ベントナイトや気泡を混合した土砂や石炭灰を使用する。
【００３５】
なお、この牽引作業と充填作業とは同時進行で徐々に行い、埋め戻し材１８の充填量と筒体８の牽引による移動量とのバランスを調整する。
【００３６】
このようにして筒体８が発進立坑９に戻ったならば、発進立坑８で刃口１２と筒体８とを回収して施工が終了する。この間、地下埋設物２の取り壊しと撤去、土砂の掘削は筒体８内に限定されるから、工事範囲を最小限にとどめることができ、河川の渇水期内で作業を完結することができる。
【００３７】
なお、前記第１実施形態は刃口１２と筒体８の前進移動を到達立坑１０に配設した牽引ジャッキ１４による牽引により行ったが、これに限定されるものではなく、第２実施形態として図６に示すように発進立坑９に設置した推進ジャッキ７による元押しにより推進することもできる。図中１１は反力壁を示す。
【００３８】
この場合も発進立坑９と到達立坑１０とを設け、発進立坑９から推進した推進ジャッキ７で筒体８を到達立坑１０まで貫通させて前進させる。
【００３９】
前記第１、第２実施形態は地下埋設物２の長さが河川堤防１を完全に横断するような長さの大きいものであるため、かかる地下埋設物２を撤去するためには、地下埋設物２の両端が突出するような位置に発進立坑９と到達立坑１０とが築造されることになるが、地下埋設物２の長さが短い場合は、図７に示すように、発進立坑９と到達立坑１０とには地下埋設物２の先端は突出しない。
【００４０】
かかる場合は、第３実施形態として牽引ジャッキ１４を到達立坑１０に設置し、図８、図９に示すように発進立坑９から筒体８を牽引して筒体８内に地下埋設物２を取り込み、第１実施形態と同様にして筒体８内で地下埋設物２の取壊しと土砂掘削および排土を行う。
【００４１】
そして、地下埋設物２の先端まで筒体８が到達して、地下埋設物２の撤去が完了したならば、刃口１２および筒体８が到達立坑１０まで到達せずに地中にある状態であっても、この時点で前進を停止し、刃口１２および筒体８を到達立坑１０まで推進させず、図１０に示すように牽引ジャッキ１４を発進立坑９側に移動して、この牽引ジャッキ１４で筒体８を発進立坑９側に引き戻し、筒体８の移動後の空隙に埋め戻し材１８を充填する。
【００４２】
この第３実施形態は地下埋設物２が到達立坑１０まで貫通しないから牽引ジャッキ１４を引戻すとき、第１実施形態の場合のように到達立坑１０側の開口を閉塞部材１６で閉塞する必要がなく、施工性のよいものとなる。
【００４３】
図１１は、第４実施形態を示し、前記第３実施形態と同様に地下埋設物２の長さが短い場合、到達立坑１０を設けず、発進立坑９のみを設け、ここに推進ジャッキ７を配設しこの推進ジャッキ７で刃口１２と筒体８を推進し、地下埋設物２の先端まで筒体８が到達して、地下埋設物２の撤去が完了したならば、刃口１２および筒体８が地中にある状態のままこの時点で前進を停止し、推進ジャッキ７を発進立坑９側に引き戻す。
【００４４】
この第４実施形態の場合は、到達立坑を設けないから、施工性がさらに向上する。
【図面の簡単な説明】
【００４５】
【図１】本発明の地下埋設物の撤去復旧方法の第１実施形態を示す縦断側面図である。
【図２】本発明の地下埋設物の撤去復旧方法の第１実施形態を示す地下埋設物撤去時の縦断側面図である。
【図３】本発明の地下埋設物の撤去復旧方法の第１実施形態を示す埋め戻し時の縦断側面図である。
【図４】本発明の地下埋設物の撤去復旧方法の実施形態を示す図２のＡ−Ａ線断面図である。
【図５】本発明の地下埋設物の撤去復旧方法の実施形態を示す図３のＢ−Ｂ線断面図である。
【図６】本発明の地下埋設物の撤去復旧方法の第２実施形態を示す縦断側面図である。
【図７】本発明の地下埋設物の撤去復旧方法の第３実施形態を示す縦断側面図である。
【図８】本発明の地下埋設物の撤去復旧方法の第２実施形態を示す地下埋設物撤去開始時の縦断側面図である。
【図９】本発明の地下埋設物の撤去復旧方法の第２実施形態を示す地下埋設物撤去時の縦断側面図である。
【図１０】本発明の地下埋設物の撤去復旧方法の第２実施形態を示す埋め戻し時の縦断側面図である。
【図１１】本発明の地下埋設物の撤去復旧方法の第４実施形態を示す縦断側面図である。
【図１２】従来のオープンカット方式による地下埋設物の撤去方法を示す縦断正面図である。
【図１３】従来のオープンカット方式による地下埋設物の撤去方法を示す縦断側面図である。
【図１４】従来のオープンカット方式による地下埋設物の撤去方法を示す横断平面図である。
【図１５】従来の山留め方式による地下埋設物の撤去方法を示す縦断正面図である。
【図１６】従来の山留め方式による地下埋設物の撤去方法を示す縦断側面図である。
【図１７】従来の山留め方式による地下埋設物の撤去方法を示す横断平面図である。
【図１８】本発明の地下埋設物の撤去復旧方法を示す縦断正面図である。
【図１９】本発明の地下埋設物の撤去復旧方法の立坑と地下埋設物の関係を示す縦断側面図である。
【図２０】本発明の地下埋設物の撤去復旧方法の立坑と地下埋設物の関係を示す横断平面図である。
【符号の説明】
【００４６】
１  河川堤防                ２  地下埋設物
３  切り梁                  ４  土留壁
５  河川                    ６  仮締め切り護岸
７  推進ジャッキ            ８  筒体
９  発進立坑                １０  到達立坑
１１  反力壁                １２  刃口
１３  支圧壁                １４  牽引ジャッキ
１５  ＰＣ鋼線              １６  閉塞部材
１７  閉塞部材              １８  埋め戻し材
１９  充填ホース
【図１】
2010112037.tif 000003
【図２】
2010112037.tif 000004
【図３】
2010112037.tif 000005
【図４】
2010112037.tif 000006
【図５】
2010112037.tif 000007
【図６】
2010112037.tif 000008
【図７】
2010112037.tif 000009
【図８】
2010112037.tif 000010
【図９】
2010112037.tif 000011
【図１０】
2010112037.tif 000012
【図１１】
2010112037.tif 000013
【図１２】
2010112037.tif 000014
【図１３】
2010112037.tif 000015
【図１４】
2010112037.tif 000016
【図１５】
2010112037.tif 000017
【図１６】
2010112037.tif 000018
【図１７】
2010112037.tif 000019
【図１８】
2010112037.tif 000020
【図１９】
2010112037.tif 000021
【図２０】
2010112037.tif 000022